(57)【要約】【課題】ヘッドフォン等から出力される音声による耳にかかる負担を軽減すること。【解決手段】音声信号を第１の音声出力手段（内蔵スピーカ２６）または第２の音声出力手段（ヘッドフォン２７）に出力する出力制御手段（出力制御回路２２）と、第２の音声出力手段が接続される接続端子（接続端子２５）と、接続端子に第２の音声出力手段が接続されると、出力制御手段を制御して、音声信号の出力先を第１の音声出力手段から第２の音声出力手段に切り換える制御手段（ＣＰＵ２８）と、制御手段による第２の音声出力手段への出力先の切り換え後における音声出力開始時に音声信号に対してフェードイン処理を行う音量制御手段（音量制御回路２１）と、を有する。【選択図】　　　　図１
2004128812.tif 000002
【特許請求の範囲】
【請求項１】
音声信号を第１の音声出力手段または第２の音声出力手段に出力する出力制御手段と、
上記第２の音声出力手段が接続される接続端子と、
上記接続端子に上記第２の音声出力手段が接続されると、上記出力制御手段を制御して、音声信号の出力先を上記第１の音声出力手段から上記第２の音声出力手段に切り換える制御手段と、
上記制御手段による上記第２の音声出力手段への出力先の切り換え後における音声出力開始時に上記音声信号に対してフェードイン処理を行う音量制御手段と、
を備えることを特徴とする音声出力装置。
【請求項２】
前記接続端子は、上記第２の音声出力手段としてヘッドフォンまたはイヤフォンが接続されることを特徴とする請求項１記載の音声出力装置。
【請求項３】
前記音量制御手段は、前記フェードイン処理において、前記接続端子に供給される音声信号のレベルが前記第１の音声出力手段に供給される音声信号のレベルより低い所定のレベルに達した場合には、そのレベルを保持することを特徴とする請求項１または請求項２記載の音声出力装置。
【請求項４】
前記音量制御手段は、前記第２の音声出力手段の音声出力を停止する場合には、前記接続端子に供給される音声信号に対してフェードアウト処理を行うことを特徴とする請求項１または請求項２記載の音声出力装置。
【請求項５】
前記音声信号を受信する受信手段を備え、
前記音量制御手段は、前記第２の音声出力手段が前記接続端子に接続された後に、上記受信手段による音声信号の受信を開始する場合における音声出力開始時に上記音声信号に対してフェードイン処理を行うこと、
を特徴とする請求項１または請求項２記載の音声出力装置。
【請求項６】
前記音量制御手段は、前記受信手段が受信チャネルを変更する際に、変更前のチャネルの音声信号に対してフェードアウト処理を行い、変更後のチャネルの音声信号に対してフェードイン処理を行うこと、を特徴とする請求項５記載の音声出力装置。
【請求項７】
音声信号を第１の音声出力手段または第２の音声出力手段に出力する出力制御手段と、
上記第１の音声出力手段および上記第２の音声出力手段から音声信号の出力先を選択する選択手段と、
上記選択手段による上記第２の音声出力手段への出力先の選択後における音声出力開始時に上記音声信号に対してフェードイン処理を行う音量制御手段と、
を備えることを特徴とする音声出力装置。
【請求項８】
第１および第２の音声出力手段から出力する音声の音量を制御する音量制御方法において、
音声出力装置の接続端子に上記第２の音声出力手段が接続されると、音声信号の出力先を上記第１の音声出力手段から上記第２の音声出力手段に切り換える切り換えステップと、
上記第２の音声出力手段への出力先の切り換え後における音声出力開始時に上記音声信号に対してフェードイン処理を行う処理ステップと、
を備えることを特徴とする音量制御方法。
【発明の詳細な説明】
【０００１】
【発明の属する技術分野】
本発明は、音声出力装置および音量制御方法に関する。
【０００２】
【従来の技術】
内蔵スピーカと、接続端子とを有しており、接続端子にヘッドフォンやイヤフォン（以下、ヘッドフォン等と称する。）が接続された場合には、接続端子に音声信号を出力する音声出力装置がある。
【０００３】
ところで、スピーカとヘッドフォン等は電気信号から音声への変換効率が異なり、通常は、ヘッドフォン等の方が変換効率が高い。したがって、内蔵スピーカへ出力している音声信号をそのままヘッドフォン等へ出力すると、大きな音が出力されて耳に負担がかかる場合がある。
【０００４】
そこで、そのような不具合を防止するために、例えば、特許文献１に示すように、内蔵スピーカとヘッドフォン等の音量を個別に設定することが可能な発明や、特許文献２に示すように、ヘッドフォン等が接続された場合には増幅回路の増幅率を変化させることにより音量を個別に設定することが可能な発明が開示されている。
【０００５】
【特許文献１】
特開平８−７９８７７号公報（要約書、図１）
【特許文献２】
実開昭５７−１８５２１５号公報（実用新案登録請求の範囲、第３図）
【０００６】
【発明が解決しようとする課題】
ところで、携帯用の音声出力装置では、電源である電池の電力消費を抑制するために、使用していない回路には電源電力を供給しないように制御を行う場合がある。例えば、前述の音声出力装置の場合では、音声信号をヘッドフォン等に出力している場合には、内蔵スピーカに関連する回路への電源電力の供給を停止し、一方、音声信号を内蔵スピーカに出力している場合には、ヘッドフォン等に関連する回路への電源電力の供給を停止することが行われている。
【０００７】
そのような場合に、回路への電源をオン／オフすると、回路が起動する際、または、回路が停止する際に、過渡現象によって回路が不安定となり、たとえば、ポップノイズ等が出力される場合がある。
【０００８】
このようなポップノイズは、ヘッドフォン等のように変換効率が高い音声出力手段の場合には、ポップノイズが大きな音で再生されてしまい、耳に大きな負担がかかるという問題点があった。
【０００９】
また、ポップノイズが再生されるとマスキング効果によって、直前または直後の音声信号がマスクされてしまい、重要な情報を聞き逃してしまう場合があるという問題点があった。
【００１０】
さらに、音声信号を送受信する送受信装置の場合には、例えば、送信状態または受信状態を相互に切り換える際に、音声信号の出力が突然開始されたり停止されたりする場合がある。そのような場合には、外部に接続されたヘッドフォン等に音声が突然出力されたり、出力中の音声が突然停止されたりする場合があり、耳に負担がかかる場合があるという問題点があった。
【００１１】
本発明は、上記の事情に基づきなされたもので、その目的とするところは、ヘッドフォン等から出力される音声により耳にかかる負担を軽減することが可能な音声出力装置および音量制御方法を提供しよう、とするものである。
【００１２】
【課題を解決するための手段】
上述の目的を達成するため、本発明は、音声信号を第１の音声出力手段または第２の音声出力手段に出力する出力制御手段と、第２の音声出力手段が接続される接続端子と、接続端子に第２の音声出力手段が接続されると、出力制御手段を制御して、音声信号の出力先を第１の音声出力手段から第２の音声出力手段に切り換える制御手段と、制御手段による第２の音声出力手段への出力先の切り換え後における音声出力開始時に音声信号に対してフェードイン処理を行う音量制御手段と、を有するようにしている。
【００１３】
また、他の発明は上述の発明に加えて、接続端子は、第２の音声出力手段としてヘッドフォンまたはイヤフォンが接続されるようにしている。
【００１４】
また、他の発明は上述の各発明に加えて、音量制御手段は、フェードイン処理において、接続端子に供給される音声信号のレベルが第１の音声出力手段に供給される音声信号のレベルより低い所定のレベルに達した場合には、そのレベルを保持するようにしている。
【００１５】
また、他の発明は上述の各発明に加えて、音量制御手段は、第２の音声出力手段の音声出力を停止する場合には、接続端子に供給される音声信号に対してフェードアウト処理を行うようにしている。
【００１６】
また、他の発明は上述の各発明に加えて、音声信号を受信する受信手段を備え、音量制御手段は、第２の音声出力手段が接続端子に接続された後に、受信手段による音声信号の受信を開始する場合における音声出力開始時に音声信号に対してフェードイン処理を行うようにしている。
【００１７】
また、他の発明は上述の発明に加えて、音量制御手段は、受信手段が受信チャネルを変更する際に、変更前のチャネルの音声信号に対してフェードアウト処理を行い、変更後のチャネルの音声信号に対してフェードイン処理を行うようにしている。
【００１８】
また、本発明は、音声信号を第１の音声出力手段または第２の音声出力手段に出力する出力制御手段と、第１の音声出力手段および第２の音声出力手段から音声信号の出力先を選択する選択手段と、選択手段による第２の音声出力手段への出力先の選択後における音声出力開始時に音声信号に対してフェードイン処理を行う音量制御手段と、有するようにしている。
【００１９】
また、本発明は、第１および第２の音声出力手段から出力する音声の音量を制御する音量制御方法において、音声出力装置の接続端子に第２の音声出力手段が接続されると、音声信号の出力先を第１の音声出力手段から第２の音声出力手段に切り換える切り換えステップと、第２の音声出力手段への出力先の切り換え後における音声出力開始時に音声信号に対してフェードイン処理を行う処理ステップと、を有するようにしている。
【００２０】
【発明の実施の形態】
以下、本発明の実施の形態について、図面を参照して説明する。
【００２１】
図１は、本発明の第１の実施の形態の構成例を示す図である。この図に示す本発明の第１の実施の形態は、送受信装置として構成されており、音声発生回路２０、音量制御回路２１、出力制御回路２２、アンプ２３、アンプ２４、接続端子２５、内蔵スピーカ２６、ヘッドフォン２７、ＣＰＵ（Ｃｅｎｔｒａｌ　Ｐｒｏｃｅｓｓｉｎｇ　Ｕｎｉｔ）２８、メモリ２９、および切り換え回路３０によって構成されている。
【００２２】
ここで、受信手段に相当する音声発生回路２０は、音声を発生して出力する回路であり、本実施の第１の形態では送受信回路として構成されている。図２は、音声発生回路２０の詳細な構成例を示す図である。この図に示すように、音声発生回路２０は、アンテナ２０ａ、ＲＦ（Ｒａｄｉｏ　Ｆｒｅｑｕｅｎｃｙ）回路２０ｂ、ＭＯＤＥＭ回路（Ｍｏｄｕｌａｔｉｏｎ　Ｄｅｍｏｄｕｌａｔｉｏｎ）回路２０ｃ、アンプ２０ｄ、アンプ２０ｅ、およびマイクロフォン２０ｆによって構成されている。
【００２３】
アンテナ２０ａは、他の送受信装置から送信されてきた電波を捕捉するとともに、他の送受信装置に対して電波を射出する。
【００２４】
ＲＦ回路２０ｂは、アンテナ２０ａによって捕捉した電波から特定の周波数の電波を抽出して電気信号に変換して出力するとともに、ＭＯＤＥＭ回路２０ｃによって生成された変調信号を、電力増幅してアンテナ２０ａに供給する。
【００２５】
ＭＯＤＥＭ回路２０ｃは、ＲＦ回路２０ｂから出力された電気信号を復調し、搬送波に重畳されている音声信号を取り出してアンプ２０ｄに供給するとともに、アンプ２０ｅから出力された音声信号で搬送波を変調して生成された変調信号をＲＦ回路２０ｂに供給する。
【００２６】
アンプ２０ｄは、ＭＯＤＥＭ回路２０ｃから出力された音声信号を所定のゲインで増幅して音量制御回路２１へ出力する。
【００２７】
アンプ２０ｅは、マイクロフォン２０ｆから出力された音声信号を所定のゲインで増幅してＭＯＤＥＭ回路２０ｃへ出力する。
【００２８】
マイクロフォン２０ｆは、送受信装置に内蔵または接続されている小型のマイクロフォンであり、音声を対応する電気信号に変換してアンプ２０ｅに出力する。
【００２９】
図１に戻って、音量制御手段の一部である音量制御回路２１は、音声発生回路２０から出力された音声信号の音量を増減する制御を行う。
【００３０】
出力制御回路２２は、音量制御回路２１から出力された音声信号の出力先を、アンプ２３およびアンプ２４のいずれか一方から選択する制御を行う出力制御手段である。
【００３１】
アンプ２３は、出力制御回路２２から出力された音声信号を所定のゲインで増幅して内蔵スピーカ２６に出力する。
【００３２】
アンプ２４は、出力制御回路２２から出力された音声信号を所定のゲインで増幅して接続端子２５を介してヘッドフォン２７に出力する。
【００３３】
接続端子２５は、ヘッドフォン２７が着脱可能に接続される接続端子である。なお、この接続端子２５にヘッドフォン２７が接続された場合には、その旨を示す信号が、例えば、図示せぬスイッチ等からＣＰＵ２８に供給される。
【００３４】
第１の音声出力手段に相当する内蔵スピーカ２６は、送受信装置の筐体に設けられているスピーカである。
【００３５】
第２の音声出力手段に相当するヘッドフォン２７は、接続端子２５に着脱可能であって、ユーザの耳介に装着される小型のスピーカである。
【００３６】
制御手段であるＣＰＵ２８は、メモリ２９に格納されているプログラムに基づいて、音声発生回路２０、音量制御回路２１、出力制御回路２２、および切り換え回路３０を制御する制御回路である。
【００３７】
メモリ２９は、ＣＰＵ２８が実行するプログラムやデータ等を格納している記憶素子である。図３は、メモリ２９に格納されている情報の一例を示す図である。この例では、「内蔵スピーカの音量」、「ヘッドフォンの音量」、「タイマ設定値」、「音量増加値」、「音量減少値」、「プライオリティチャネル」、および「プライオリティスキャンタイマ設定値」を示す情報が格納されている。なお、各項目についての説明は、後述する。
【００３８】
切り換え回路３０は、ＣＰＵ２８の制御に応じてアンプ２３およびアンプ２４のいずれか一方に電源電力を供給して動作可能の状態にする。
【００３９】
つぎに、以上の第１の実施の形態の動作について説明する。以下では、まず、ヘッドフォン２７が接続端子２５に接続された場合の動作について図４に示すフローチャートを参照して説明する。
【００４０】
送受信装置に電源が投入されると、装置の各部に電源電力の供給が開始される。ＣＰＵ２８は、メモリ２９に格納されている初期設定用のプログラムを読み出して実行する。その際に、ＣＰＵ２８は、音声発生回路２０のＲＦ回路２０ｂを制御して初期設定されている受信周波数を受信するように設定する。そして、以下のような処理が実行される。
【００４１】
ステップＳ１０：ＣＰＵ２８は、接続端子２５からの信号を参照し、ヘッドフォン２７が接続されたか否かを判定し、接続された場合にはステップＳ１２に進み、それ以外の場合にはステップＳ１１に進む。
【００４２】
ステップＳ１１：ＣＰＵ２８は、音声信号の増幅にアンプ２３を使用する。すなわち、ＣＰＵ２８は、現在、内蔵スピーカ２６から音声が出力されている状態である場合にはその状態を維持し、ヘッドフォン２７から音声が出力されている状態である場合にヘッドフォン２７が外されたときには、出力制御回路２２を制御して音量制御回路２１の出力を、アンプ２３に供給させるとともに、切り換え回路３０を制御してアンプ２３に電源電力を供給する。
【００４３】
ステップＳ１２：ＣＰＵ２８は、音声発生回路２０のＭＯＤＥＭ回路２０ｃの出力を参照し、音声を出力中か否かを判定する。その結果、音声を出力中である場合にはステップＳ１５に進み、それ以外の場合にはステップＳ１３に進む。
【００４４】
ステップＳ１３：ＣＰＵ２８は、メモリ２９から「ヘッドフォンの音量」を示す情報を取得し、音量制御回路２１の出力がこの音量となるように設定する。
【００４５】
ステップＳ１４：次に、ＣＰＵ２８は、音声信号の増幅にアンプ２４を使用する。すなわち、ＣＰＵ２８は、出力制御回路２２を制御して音量制御回路２１の出力をアンプ２４に供給させるとともに、切り換え回路３０を制御してアンプ２４に電源電力を供給させる。
【００４６】
ステップＳ１５：一方、ステップＳ１２において音声出力中と判定した場合、ＣＰＵ２８は、音声信号をミュートする。すなわち、ＣＰＵ２８は、音量制御回路２１を制御して、音声信号のレベルを最小にする。
【００４７】
ステップＳ１６：次に、ＣＰＵ２８は、音声信号の増幅にアンプ２４を使用する。すなわち、ＣＰＵ２８は、出力制御回路２２を制御して音量制御回路２１の出力をアンプ２４に供給させるとともに、切り換え回路３０を制御して、アンプ２４に電源電力を供給させる。
【００４８】
ステップＳ１７：次に、ＣＰＵ２８は、音声信号をフェードインする処理を実行する。すなわち、ＣＰＵ２８は、音量制御回路２１を制御して、音声信号のレベルを徐々に増大させる処理を実行する。なお、この処理の詳細は、図５を参照して後述する。
【００４９】
図５は、図４に示す「フェードイン処理」の詳細を説明するためのフローチャートである。このフローチャートが開始されると、以下のステップが実行される。なお、他の方法でフェードイン処理を行うようにしてもよい。
【００５０】
ステップＳ３０：ＣＰＵ２８は、タイマを設定する。すなわち、ＣＰＵ２８は、メモリ２９に格納されている「タイマ設定値」（図３参照）を取得し、タイマ割り込みプログラムに対してタイマ値を設定する。なお、タイマ割り込みプログラムとは、タイマ設定値をカウントダウンし、カウント値が“０”になった場合に、ソフトウエア割り込みを発生するプログラムをいう。
【００５１】
ステップＳ３１：次に、ＣＰＵ２８は、タイマをスタートさせる。すなわち、ＣＰＵ２８は、タイマ設定値が設定されたタイマプログラムのカウント動作を開始させる。
【００５２】
ステップＳ３２：ＣＰＵ２８は、タイマプログラムからの割り込みが発生したことを検出することにより、タイマがストップしたか否かを判定し、タイマがストップした場合にはステップＳ３３に進み、それ以外の場合には同様の処理を繰り返す。
【００５３】
ステップＳ３３：ＣＰＵ２８は、メモリ２９に格納されている「音量増加値」（図３参照）を取得し、この値に応じた量だけ音量制御回路２１の音量を増加させる。
【００５４】
ステップＳ３４：ＣＰＵ２８は、メモリ２９に格納されている「ヘッドフォンの音量」を示す情報（図３参照）を取得し、この情報と音量制御回路２１の音量とを比較し、これらが等しいか否かを判定し、等しい場合にはもとの処理に復帰し、それ以外の場合にはステップＳ３０に戻って同様の処理を繰り返す。
【００５５】
以上の図４および図５に示す処理によれば、音声が出力されていない場合に、ヘッドフォン２７が接続されたときには、ヘッドフォン２７用の音量設定がなされ、出力制御回路２２が切り換えられた後、アンプ２４への電源の供給が開始されるので、出力制御回路２２の切り換え動作に伴って発生するポップノイズが出力されることを防止できる。
【００５６】
また、音声が出力されている最中に、ヘッドフォン２７が接続された場合には、音量が最小まで絞られ、出力制御回路２２の出力の切り換えと、切り換え回路３０によるアンプの切り換えがなされた後、ヘッドフォン用に設定された音量に到達するまで音量が徐々に増大される（すなわち、フェードイン処理がなされる）。その結果、内蔵スピーカ２６用に設定された音量のままで、ヘッドフォン２７から音声が出力されることにより、耳に負担がかかることを防止することができる。また、出力制御回路２２を切り換えた後に、アンプ２４に電源電力を供給するようにしたので、ポップノイズの発生を防止することができる。
【００５７】
また、音声発生回路２０の出力に直流成分が重畳されている場合に音量を急激に増大させると、この直流成分によってポップノイズが発生する場合があるが、本実施の形態では、音量を徐々に増大するようにしたので、ポップノイズの発生を防止することができる。
【００５８】
つぎに、音声の出力を開始する場合と終了する場合の処理について説明する。本実施の形態の送受信装置では、送信動作と受信動作を交互に実行することにより、通信相手との間で音声情報が交換されることが多い。このため、送信中に受信が開始されて音声の出力が開始されたり、受信中に送信が開始されて音声の出力が停止されたりする場合がある。本実施の形態では、そのような場合においても、ヘッドフォン２７からポップノイズが出力されることを防止し、また、急激に大きな音がヘッドフォン２７から出力されて耳に負担がかかることを防止することができる。以下にその動作の詳細を図６〜図８に示すフローチャートを参照して説明する。
【００５９】
まず、送信中または待機中に受信を開始する場合について図６に示すフローチャートを参照して説明する。
【００６０】
ステップＳ５０：ＣＰＵ２８は、送信中または待機中に所定のチャンネルの電波を受信する操作がなされたことを検出すると、音声の出力を開始するか否かを判定し、音声の出力を開始する場合にはステップＳ５１に進み、それ以外の場合には処理を終了する。具体的には、ＣＰＵ２８は、例えば、図示せぬ操作部が操作されて受信を開始する要求がなされた場合にはステップＳ５１に進み、それ以外の場合には処理を終了する。
【００６１】
ステップＳ５１：ＣＰＵ２８は、接続端子２５の出力を参照し、ヘッドフォン２７が接続中であるか否かを判定し、接続中である場合にはステップＳ５４に進み、それ以外の場合にはステップＳ５２に進む。
【００６２】
ステップＳ５２：ヘッドフォン２７が接続中でない場合、ＣＰＵ２８は、音声信号の増幅にアンプ２３を使用する設定を行う。すなわち、ＣＰＵ２８は、出力制御回路２２を制御して、音量制御回路２１の出力をアンプ２３に供給するように設定するとともに、切り換え回路３０を制御してアンプ２３に電源電力を供給するように設定する。
【００６３】
ステップＳ５３：次に、ＣＰＵ２８は、音声の出力を開始する。すなわち、ＣＰＵ２８は、メモリ２９に格納されている「内蔵スピーカの音量」を示す情報（図３参照）を取得し、音量制御回路２１をこの情報に基づいて設定することにより、内蔵スピーカ２６への音声の出力を開始する。
【００６４】
ステップＳ５４：一方、ヘッドフォン２７が接続中である場合、ＣＰＵ２８は、音声信号をミュートする。すなわち、ＣＰＵ２８は、音量制御回路２１を制御して音量を最小に設定する。
【００６５】
ステップＳ５５：次に、ＣＰＵ２８は、音声信号の増幅にアンプ２４を使用する設定を行う。すなわち、ＣＰＵ２８は、出力制御回路２２を制御して、音量制御回路２１の出力をアンプ２４に供給するように設定するとともに、切り換え回路３０を制御してアンプ２４に電源電力を供給するように設定する。
【００６６】
ステップＳ５６：その後、ＣＰＵ２８は、メモリ２９に格納されている「ヘッドフォンの音量」まで音量を徐々に増加させる「フェードイン処理」を実行する。なお、「フェードイン処理」は、図５の場合と同様であるのでその詳細な説明は省略する。
【００６７】
以上の処理によれば、ヘッドフォン２７から出力される音声は、最小の音量から徐々に増大して所望の音量まで到達するように制御されるので、大きな音声が突然再生され、耳に負担がかかることを防止できる。また、出力制御回路２２を切り換えた後に、アンプ２４に電源を供給するようにしたので、ポップノイズの発生を防止することができる。
【００６８】
つぎに、受信中に送信を開始する場合または受信中に受信を停止する場合について図７を参照して説明する。
【００６９】
ステップＳ６０：ＣＰＵ２８は、受信中に、例えば、送信を開始する要求がなされた場合や、受信を中止する要求がなされた場合には、音声出力を停止するか否かを判定し、音声の出力を停止する場合にはステップＳ６１に進み、それ以外の場合には処理を終了する。具体的には、ＣＰＵ２８は、例えば、図示せぬ操作部が操作されて受信を終了する要求がなされた場合にはステップＳ６１に進み、それ以外の場合には処理を終了する。
【００７０】
ステップＳ６１：音声の出力を停止する場合、ＣＰＵ２８は、接続端子２５からの信号を参照し、ヘッドフォン２７が接続中であるか否かを判定する。そして、ＣＰＵ２８は、ヘッドフォン２７が接続中である場合にはステップＳ６３に進み、それ以外の場合にはステップＳ６２に進む。
【００７１】
ステップＳ６２：ヘッドフォン２７が接続中でない場合、ＣＰＵ２８は、音声の出力を停止する処理を実行する。すなわち、ＣＰＵ２８は、音量制御回路２１を制御して音量を最小に設定するとともに、切り換え制御回路３０を制御してアンプ２３への電源電力の供給を停止する。その結果、内蔵スピーカ２６からの音声の出力が停止される。
【００７２】
ステップＳ６３：ＣＰＵ２８は、現在設定されている音量から最小の音量まで徐々に変化させる「フェードアウト処理」を実行する。なお、この処理の詳細は、図８を参照して後述する。
【００７３】
つぎに、図８を参照して図７に示す「フェードアウト処理」の詳細について説明する。このフローチャートが開始されると、以下のステップが実行される。なお、他の方法で、フェードアウト処理を実行するようにしてもよい。
【００７４】
ステップＳ７０：ＣＰＵ２８は、タイマを設定する。すなわち、ＣＰＵ２８は、メモリ２９に格納されている「タイマ設定値」（図３参照）を取得し、タイマ割り込みプログラムに対してタイマ値を設定する。
【００７５】
ステップＳ７１：ＣＰＵ２８は、タイマをスタートさせる。すなわち、ＣＰＵ２８は、タイマ設定値が設定されたタイマプログラムのカウント動作を開始させる。
【００７６】
ステップＳ７２：ＣＰＵ２８は、タイマプログラムからの割り込みが発生したことを検出することにより、タイマがストップしたか否かを判定し、タイマがストップした場合にはステップＳ７３に進み、それ以外の場合には同様の処理を繰り返す。
【００７７】
ステップＳ７３：ＣＰＵ２８は、メモリ２９に格納されている「音量減少値」（図３参照）を取得し、この値に応じた量だけ音量制御回路２１を制御することにより、音量を減少させる。
【００７８】
ステップＳ７４：ＣＰＵ２８は、音量制御回路２１の音量が最小になったか否かを判定し、最小となった場合には元の処理に復帰し、それ以外の場合にはステップＳ７０に戻って同様の処理を繰り返す。
【００７９】
以上に示したように図７および図８に示す処理によれば、ヘッドフォン２７が接続されている場合に、音声の出力を開始するときにはフェードイン処理が実行され、また、音声の出力を停止するときにはフェードアウト処理が実行されるので、ヘッドフォンから出力される音が急激に大きくなったり、小さくなったりすることにより耳に負担がかかることを防止できる。また、音量を徐々に変化させることにより、ポップノイズの発生を防止することができる。
【００８０】
図９は、ヘッドフォン２７に供給される音声信号のレベルを示す図である。この図において、図９（ａ）は従来における音声信号のレベルの変化を示す図であり、また、図９（ｂ）は本発明における音声信号のレベルの変化を示す図である。この図に示すように、本発明の場合では、従来に比べて音声の最大レベルがＶ１からＶ２に減少している。また、出力が開始される時点と終了する時点の音声信号の包絡線の立ち上がりおよび立ち下がりが従来に比べて緩やかになっている。このように、音声信号の立ち上がりまたは立ち下がりを緩やかにすることにより、これらの部分において発生するポップノイズの発生を緩和し、また、音量が急激に立ち上がったり、立ち下がったりすることによる耳にかかる負担を軽減することができる。
【００８１】
つぎに、プライオリティスキャン動作時の動作について説明する。
【００８２】
本実施の形態の送受信装置は、優先度が高いチャネルを予め設定しておき、そのチャネルを所定の時間間隔でスキャンして受信信号がある場合には、当該チャネルの受信を開始し、それ以外の場合にはそれまで受信していたチャネルを継続して受信する、いわゆる、プライオリティスキャン機能を有している。
【００８３】
このようなプライオリティスキャン動作時には、所定のチャネルを受信している最中に、所定の周期で割り込みしてプライオリティチャネルを受信するので、受信チャネルを切り換える際に、ポップノイズが発生する場合がある。本実施の形態では、プライオリティスキャン時においても、ヘッドフォン２７からポップノイズが出力されることを抑制することができる。以下に、図１０〜図１２を参照して、プライオリティスキャン動作時の処理の流れについて説明する。なお、プライオリティチャネルは、図３に示すように、メモリ２９に予め格納されているものとする。
【００８４】
まず、図１０を参照してプライオリティスキャン動作時の処理の流れについて説明する。
【００８５】
ステップＳ９０：ＣＰＵ２８は、プライオリティスキャン動作が要求された場合には、メモリ２９に格納されている「プライオリティスキャンタイマ設定値」（図３参照）を取得し、タイマプログラムを設定する。
【００８６】
ステップＳ９１：次に、ＣＰＵ２８は、タイマプログラムをスタートする。その結果、タイマプログラムがスタートされてから、プライオリティスキャンタイマ設定値に設定されている時間が経過した場合には、割り込みが発生することになる。
【００８７】
ステップＳ９２：そして、ＣＰＵ２８は、タイマがストップしたか否かを判定する。すなわち、ＣＰＵ２８は、タイマプログラムから割り込みが発生した場合には、タイマがストップしたと判定してステップＳ９３に進み、それ以外の場合には同様の処理を繰り返す。
【００８８】
ステップＳ９３：ＣＰＵ２８は、音声の出力を停止する処理である「音声出力停止処理」を実行する。なお、この処理の詳細については図１１を参照して後述する。
【００８９】
ステップＳ９４：ＣＰＵ２８は、プライオリティチャネルの受信状態をチェックする。すなわち、ＣＰＵ２８は、メモリ２９から「プライオリティチャネル」を示す情報を取得し、ＲＦ回路２０ｂの受信チャネルを設定する。そして、ＣＰＵ２８は、ＭＯＤＥＭ回路２０ｃからの出力を参照し、プライオリティチャネルの受信状態をチェックする。
【００９０】
ステップＳ９５：ＣＰＵ２８は、プライオリティチャネルを受信可能か否かを判定する。すなわち、ＣＰＵ２８は、ＭＯＤＥＭ回路２０ｃの出力を参照し、受信信号が存在する場合にはステップＳ９６に進み、それ以外の場合にはステップＳ９８に進む。
【００９１】
ステップＳ９６：プライオリティチャネルが受信可能である場合、ＣＰＵ２８は、ＲＦ回路２０ｂの受信周波数を、プライオリティチャネルの周波数に設定する。
【００９２】
ステップＳ９７：次に、ＣＰＵ２８は、音声の出力を開始する処理である「音声出力開始処理」を実行する。なお、この処理の詳細については図１２を参照して後述する。
【００９３】
ステップＳ９８：一方、プライオリティチャネルが受信可能でない場合、ＣＰＵ２８は、ＲＦ回路２０ｂの受信周波数を、以前のチャネル（それまで受信していたチャネル）の周波数に設定する。
【００９４】
ステップＳ９９：次に、ＣＰＵ２８は、音声の出力を開始する処理である「音声出力開始処理」を実行する。なお、この処理の詳細については図１２を参照して後述する。
【００９５】
ステップＳ１００：ＣＰＵ２８は、プライオリティスキャン動作を終了するか否かを判定し、終了しない場合にはステップＳ９０に戻って同様の動作を繰り返し、それ以外の場合には処理を終了する。
【００９６】
つぎに、図１１を参照して、図１０に示す「音声出力停止処理」の詳細について説明する。このフローチャートが開始されると、以下のステップが実行される。
【００９７】
ステップＳ１２０：ＣＰＵ２８は、接続端子２５からの信号を参照し、ヘッドフォン２７が接続されているか否かを判定し、ヘッドフォン２７が接続されている場合には、ステップＳ１２２に進み、それ以外の場合にはステップＳ１２１に進む。
【００９８】
ステップＳ１２１：ヘッドフォン２７が接続されていない場合、ＣＰＵ２８は、音量制御回路２１を制御して音量を最小に設定し、元の処理に復帰する。その結果、内蔵スピーカ２６からの音声の出力が停止されることになる。
【００９９】
ステップＳ１２２：ヘッドフォン２７が接続されている場合、ＣＰＵ２８は、図８に示すフェードアウト処理を実行し、元の処理に復帰する。その結果、ヘッドフォン２７から出力される音声の音量が、最小の音量まで徐々に減少することになる。
【０１００】
つぎに、図１２を参照して、図１０に示す「音声出力開始処理」の詳細について説明する。このフローチャートが開始されると、以下のステップが実行される。
【０１０１】
ステップＳ１４０：ＣＰＵ２８は、接続端子２５からの信号を参照し、ヘッドフォン２７が接続されているか否かを判定し、ヘッドフォン２７が接続されている場合には、ステップＳ１４３に進み、それ以外の場合にはステップＳ１４１に進む。
【０１０２】
ステップＳ１４１：ヘッドフォン２７が接続されていない場合、ＣＰＵ２８は、音声信号の増幅にアンプ２３を使用する設定を行う。すなわち、ＣＰＵ２８は、出力制御回路２２を制御して、音量制御回路２１の出力をアンプ２３に供給するとともに、切り換え回路３０を制御してアンプ２３に電源電力を供給する。
【０１０３】
ステップＳ１４２：次に、ＣＰＵ２８は、音声の出力を開始する。すなわち、ＣＰＵ２８は、メモリ２９に格納されている「内蔵スピーカの音量」を示す情報（図３参照）を取得し、音量制御回路２１をこの情報に基づいて設定することにより、内蔵スピーカ２６への音声の出力を開始する。
【０１０４】
ステップＳ１４３：一方、ヘッドフォン２７が接続されている場合、ＣＰＵ２８は、音声信号をミュートする。すなわち、ＣＰＵ２８は、音量制御回路２１を制御し、音量を最小に設定する。
【０１０５】
ステップＳ１４４：次に、ＣＰＵ２８は、音声信号の増幅にアンプ２４を使用する設定を行う。すなわち、ＣＰＵ２８は、出力制御回路２２を制御して、音量制御回路２１の出力をアンプ２４に供給するとともに、切り換え回路３０を制御してアンプ２４に電源電力を供給する。
【０１０６】
ステップＳ１４５：そして、ＣＰＵ２８は、図５に示す「フェードイン処理」を実行する。その結果、最小の音量からヘッドフォン２７に最適な音量まで音量が徐々に増大することになる。
【０１０７】
以上に説明したように、図１０〜図１２に示す処理によれば、プライオリティスキャンが実行される場合であって、ヘッドフォン２７が接続されている場合には、フェードアウト処理によって音量を絞るようにしたので、受信チャネルの切り換え等に伴ってポップノイズが発生することを防止することができる。
【０１０８】
また、スキャンが終了した場合であって、ヘッドフォン２７が接続されている場合には、もとのチャネルの再生を再開するとき、または、プライオリティチャネルの再生を開始するときに、フェードイン処理によって音量を徐々に増大させ、ヘッドフォン２７に最適な音量に設定するようにしたので、ポップノイズが発生することおよび急に音量が大きくなることを防止し、耳にかかる負担を軽減することができる。
【０１０９】
つぎに、本発明の第２の実施の形態について説明する。
【０１１０】
図１３は、本発明の第２の実施の形態の構成例を示す図である。なお、この図において、図１の場合と対応する部分には同一の符号を付してあるのでその説明は省略する。ただし、ＣＰＵ２８の実行するプログラムは、以下の機能を実現するように変更されている。
【０１１１】
第２の実施の形態では、第１の実施の形態と比較して、接続端子２５が除外され、切り換えスイッチ５０が新たに付加されている。その他の構成は、第１の実施の形態の場合と同様である。
【０１１２】
ここで、選択手段に相当する切り換えスイッチ５０は、送受信装置の筐体に操作部として設けられているスイッチであり、音声の出力先を内蔵スピーカ２６およびヘッドフォン２７のいずれか一方から選択することが可能とされている。ＣＰＵ２８は、この切り換えスイッチ５０の状態を検出し、内蔵スピーカ２６が選択されている場合には、出力制御回路２２および切り換え回路３０を制御して、音声の出力先が内蔵スピーカ２６になるように設定するとともに、音量制御回路２１を制御して内蔵スピーカ２６に最適な音量となるように設定する。また、ヘッドフォン２７が選択されている場合には、出力制御回路２２および切り換え回路３０を制御して、音声の出力先がヘッドフォン２７になるように設定するとともに、音量制御回路２１を制御してヘッドフォン２７に最適な音量となるように設定する。
【０１１３】
なお、第２の実施の形態では、接続端子２５を除外する構成としているが、第１の実施の形態の場合と同様にヘッドフォン２７を着脱可能とするために、接続端子を設けるようにしてもよい。その場合においても、ＣＰＵ２８は、出力先が内蔵スピーカ２６であるか、ヘッドフォン２７であるかの判定を、切り換えスイッチ５０の出力を参照して行うので、その接続端子がヘッドフォン２７の接続の有無の検出を行う機能を有する必要はない。
【０１１４】
つぎに、本発明の第２の実施の形態の動作について説明する。
【０１１５】
本発明の第２の実施の形態では、第１の実施の形態に比較して、ヘッドフォン２７が接続されているか否かの判断が、接続端子２５の出力を参照して行う方法から、切り換えスイッチ５０の状態を参照して行う方法に変更されている。したがって、前述した本発明の第１の実施の形態において、接続端子２５の状態を参照する処理を、切り換えスイッチ５０の状態を参照するように変更すれば、前述の第１の実施の形態と同様の機能を実現することができる。それ以外の動作は、第１の実施の形態の場合と同様であるので、その説明は省略する。
【０１１６】
以上のように第２の実施の形態によれば、第１の実施の形態の場合と同様に、切り換えスイッチ５０が切り換えられた場合において、ポップノイズがヘッドフォン２７から出力されることを防止するとともに、ヘッドフォン２７から出力される音声が急激に大きくなったり、急激に小さくなったりすることにより耳に負担がかかることを防止できる。
【０１１７】
以上、本発明の一実施の形態について説明したが、本発明はこれ以外にも種々変形可能である。
【０１１８】
例えば、以上の各実施の形態では、音声の出力先が切り換えられた後の音量は固定（「内蔵スピーカの音量」または「ヘッドフォンの音量」）としたが、これらの音量を、操作部を操作することにより、任意に変更することが可能な構成としてもよい。
【０１１９】
図１４は、操作部を操作することにより音量を変更することが可能とした場合における、操作部の操作量と音量との関係（ボリュームカーブ）の一例を示す図である。この図において「基準設定」は、音声の出力先が切り換えられた後に設定される基準となる操作量を示している。
【０１２０】
すなわち、音声の出力先が内蔵スピーカ２６からヘッドフォン２７に切り換えられた場合には、ヘッドフォン２７用の基準設定値Ｐ２（図３に示す「ヘッドフォンの音量」に対応する設定値）が選択される。そして、操作部が操作された場合には、ヘッドフォン２７用の調整曲線Ｃ２に沿って音量が調整されることになる。一方、音声の出力先がヘッドフォン２７から内蔵スピーカ２６に切り換えられた場合には、内蔵スピーカ２６用の基準設定値Ｐ１（図３に示す「内蔵スピーカの音量」に対応する設定値）が選択される。そして、操作部が操作された場合には、内蔵スピーカ２６用の調整曲線Ｃ１に沿って音量が調整されることになる。
【０１２１】
このような実施の形態によれば、基準設定値Ｐ１，Ｐ２を基準として、音量を自由に変更することが可能になるので、使用環境等に応じた最適な音量を選択することができ、耳にかかる負担をさらに軽減することが可能になる。
【０１２２】
なお、メモリ２９に格納されている「内蔵スピーカの音量」および「ヘッドフォンの音量」を変更することにより、図１４に示す基準設定値を自由に設定することが可能としてもよい。そのような構成によれば、使用環境やユーザの聴力に応じた最適な設定が可能になるので、耳にかかる負担をさらに軽減することが可能になる。
【０１２３】
なお、上記各実施の形態では、第１の音声出力手段としての内蔵スピーカ２６を、筐体に内蔵する構成としたが、その代わりに、スピーカを筐体外部に設けるようにしてもよい。
【０１２４】
また、第２の音声出力手段としては、ヘッドフォン２７を例に挙げて説明したが、例えば、イヤフォンを用いることも可能である。
【０１２５】
また、制御手段としては、ＣＰＵ２８がメモリ２９に格納されているプログラムに応じて必要な機能を実現するようにしたが、すべての機能をハードウエアによって実現することも可能である。
【０１２６】
また、検出手段としては、接続端子２５を例に挙げて説明したが、接続端子２５の電気抵抗の変化を検出する検出回路を別途設けてヘッドフォン２７が接続されたことを検出するようにしてもよい。
【０１２７】
また、選択手段としては、切り換えスイッチ５０を例に挙げて説明したが、例えば、タッチパネルを有する表示部を設け、この表示部に表示されたＧＵＩ（Ｇｒａｐｈｉｃａｌ　Ｕｓｅｒ　Ｉｎｔｅｒｆａｃｅ）が操作された場合には、出力先を切り換えるようにしてもよい。
【０１２８】
また、受信手段としては、音声信号を受信する場合を例に挙げて説明したが、音声信号以外の信号を受信する場合についても本発明を適用可能であることはいうまでもない。
【０１２９】
さらに、出力される音声信号としては、受信された音声信号に限らず、各種記録媒体から再生される音声信号でもよい。
【０１３０】
【発明の効果】
本発明によれば、ヘッドフォン等から出力される音声により耳にかかる負担を軽減することが可能になる。
【図面の簡単な説明】
【図１】本発明の第１の実施の形態の構成例を示すブロック図である。
【図２】図１に示す送受信装置の音声発生回路の詳細な構成例を示すブロック図である。
【図３】図１に示す送受信装置のメモリに格納されているデータの一例を示す図である。
【図４】図１に示す送受信装置にヘッドフォンが接続された場合に実行される処理の一例を説明するフローチャートである。
【図５】図４に示す「フェードイン処理」の詳細を説明するフローチャートである。
【図６】図６（ａ）は、従来における音声信号のレベルの変化を示す図であり、図６（ｂ）は図１に示す第１の実施の形態における音声信号のレベルの変化を示す図である。
【図７】図１に示す第１の実施の形態において、送信中または待機中に受信を開始する場合の処理の流れを説明するフローチャートである。
【図８】図１に示す第１の実施の形態において、受信中に送信を開始する場合または受信中に受信を停止する場合の処理の流れについて説明するフローチャートである。
【図９】図８に示す「フェードイン処理」の詳細を説明するフローチャートである。
【図１０】図１に示す第１の実施の形態において、プライオリティスキャンの際に実行される処理を説明するフローチャートである。
【図１１】図１０に示す「音声出力停止処理」の詳細を説明するためのフローチャートである。
【図１２】図１０に示す「音声出力開始処理」の詳細を説明するためのフローチャートである。
【図１３】本発明の第２の実施の形態の構成例を示すブロック図である。
【図１４】図１または図１３に示す実施の形態において、図示せぬ操作部が操作された場合の操作量と音量との関係の一例を示す図である。
【符号の説明】
２０　音声発生回路（受信手段）
２１　音量制御回路（音声制御手段）
２２　出力制御回路（出力制御手段）
２５　接続端子（接続端子）
２６　内蔵スピーカ（第１の音声出力手段）
２７　ヘッドフォン（第２の音声出力手段）
２８　ＣＰＵ（制御手段）
５０　切り換えスイッチ（選択手段）
【図１】
2004128812.tif 000003
【図２】
2004128812.tif 000004
【図３】
2004128812.tif 000005
【図４】
2004128812.tif 000006
【図５】
2004128812.tif 000007
【図６】
2004128812.tif 000008
【図７】
2004128812.tif 000009
【図８】
2004128812.tif 000010
【図９】
2004128812.tif 000011
【図１０】
2004128812.tif 000012
【図１１】
2004128812.tif 000013
【図１２】
2004128812.tif 000014
【図１３】
2004128812.tif 000015
【図１４】
2004128812.tif 000016